(57)【特許請求の範囲】
【請求項１】
玩具本体が地上を浮上走行するホバークラフト玩具であって、
前記玩具本体を浮上及び推進させるための送風を行うファンと、
前記ファンを回転駆動させるモータと、
前記モータに給電する蓄電池と、
前記玩具本体に設けられて前記ファン、前記モータ、及び前記蓄電池を上部に支持するベースと、
前記ベースの底部側の周縁部分に設けられ、膨張／収縮自在な袋状に形成されたスカートと、
を備え、
前記ベースは、前記蓄電池を充電するための外部電源に接続可能な充電入力端子を底面に有し、
前記スカートは、前記充電入力端子を下方に露出するよう底面側に開口部を有し、
前記外部電源として、前記玩具本体とは別体の充電台を備え、
前記充電台は、
前記玩具本体が載置される載置面と、
前記載置面内に設けられ、当該載置面に前記玩具本体が載置されたときに当該玩具本体の前記充電入力端子と当接して前記蓄電池を充電する充電出力端子と、を有することを特徴とするホバークラフト玩具。
【請求項２】
前記充電台は、前記玩具本体の底面周縁と嵌合する凹部の底面に前記載置面を有し、
前記充電出力端子は、前記玩具本体が前記凹部に嵌合されたときに、前記充電入力端子と当接するよう形成されたことを特徴とする請求項１に記載のホバークラフト玩具。
【請求項３】
前記充電台は、前記玩具本体を遠隔操作するリモコンであることを特徴とする請求項１又は２に記載のホバークラフト玩具。
【請求項４】
前記充電入力端子と前記充電出力端子とは、互いに吸引力が作用するマグネットで形成されていることを特徴とする請求項１〜３のいずれか一項に記載のホバークラフト玩具。
【請求項５】
前記蓄電池は、リチウムポリマー電池又はゴールドキャパシタを用いたものであることを特徴とする請求項１〜４のいずれか一項に記載のホバークラフト玩具。
【請求項６】
前記ファンはＡＢＳ樹脂で成形され、前記ベースはプラスチック材料で成形され、前記スカートはビニル樹脂で成形されていることを特徴とする請求項１〜５のいずれか一項に記載のホバークラフト玩具。 
【発明の詳細な説明】
【技術分野】
【０００１】
本発明は、ホバークラフト玩具に関する。
【背景技術】
【０００２】
従来、機体底面と地面もしくは水面との間に封じ込めたエアクッションの揚力を利用して浮上走行する乗物は、ホバークラフトまたはエアクッション艇等と呼称されている。このような乗物を模した走行玩具として、例えば特許文献１に記載されているようなホバークラフト玩具が知られている。
【０００３】
ところで、このホバークラフト玩具にあっては、滑らかな走行を実現するために玩具本体の安定した浮上が求められ、簡易な構造でこれを達成するためには玩具本体の軽量化が必要とされる。そこで、玩具本体の材料としては樹脂などの軽量なものが用いられている。また、玩具本体に搭載する電源としては、乾電池のような一次電池ではなく、より軽量化が可能な蓄電池が用いられている。そして、この蓄電池の充電端子は、充電機器と接続しやすいよう、玩具本体の上面に設けられている。
【特許文献１】特開２００５−７３９８６号公報
【発明の開示】
【発明が解決しようとする課題】
【０００４】
しかしながら、上記のようなホバークラフト玩具では、玩具本体を軽量化する結果、強度が低下しているため、玩具本体の蓄電池を充電する際、充電端子を充電機器に接続しようと端子付近を強く把持して、この把持部を変形・破損させてしまうことがあった。
【０００５】
本発明は、上記事情を鑑みてなされたもので、玩具本体を軽量に形成するとともに、充電の際の変形・破損を防止することのできるホバークラフト玩具の提供を課題とする。
【課題を解決するための手段】
【０００６】
前記の課題を解決するために、請求項１に記載の発明は、玩具本体が地上を浮上走行するホバークラフト玩具であって、
前記玩具本体を浮上及び推進させるための送風を行うファンと、
前記ファンを回転駆動させるモータと、
前記モータに給電する蓄電池と、
前記玩具本体に設けられて前記ファン、前記モータ、及び前記蓄電池を上部に支持するベースと、
前記ベースの底部側の周縁部分に設けられ、膨張／収縮自在な袋状に形成されたスカートと、
を備え、      
前記ベースは、前記蓄電池を充電するための外部電源に接続可能な充電入力端子を底面に有し、
前記スカートは、前記充電入力端子を下方に露出するよう底面側に開口部を有し、
前記外部電源として、前記玩具本体とは別体の充電台を備え、
前記充電台は、
前記玩具本体が載置される載置面と、
前記載置面内に設けられ、当該載置面に前記玩具本体が載置されたときに当該玩具本体の前記充電入力端子と当接して前記蓄電池を充電する充電出力端子と、を有することを特徴とする。 
【０００８】
請求項２に記載の発明は、請求項１に記載のホバークラフト玩具であって、
前記充電台は、前記玩具本体の底面周縁と嵌合する凹部の底面に前記載置面を有し、
前記充電出力端子は、前記玩具本体が前記凹部に嵌合されたときに、前記充電入力端子と当接するよう形成されたことを特徴とする。 
【０００９】
請求項３に記載の発明は、請求項１又は２に記載のホバークラフト玩具であって、
前記充電台は、前記玩具本体を遠隔操作するリモコンであることを特徴とする。 
【００１０】
請求項４に記載の発明は、請求項１〜３のいずれか一項に記載のホバークラフト玩具であって、
前記充電入力端子と前記充電出力端子とは、互いに吸引力が作用するマグネットで形成されていることを特徴とする。 
【００１１】
請求項５に記載の発明は、請求項１〜４のいずれか一項に記載のホバークラフト玩具であって、
前記蓄電池は、リチウムポリマー電池又はゴールドキャパシタを用いたものであることを特徴とする。 
【００１２】
請求項６に記載の発明は、請求項１〜５のいずれか一項に記載のホバークラフト玩具であって、
前記ファンはＡＢＳ樹脂で成形され、前記ベースはプラスチック材料で成形され、前記スカートはビニル樹脂で成形されていることを特徴とする。 
【発明の効果】
【００１３】
請求項１に記載の発明によれば、玩具本体が地上を浮上走行するホバークラフト玩具であって、玩具本体を浮上及び推進させるための送風を行うファンと、ファンを回転駆動させるモータと、モータに給電する蓄電池と、玩具本体に設けられてファン、モータ、及び蓄電池を上部に支持するベースと、ベースの底部側の周縁部分に設けられ、膨張／収縮自在な袋状に形成されたスカートと、を備えているので、玩具本体を軽量に形成することができる。また、ベースは、蓄電池を充電するための外部電源に接続可能な充電入力端子を底面に有し、スカートは、充電入力端子を下方に露出するよう底面側に開口部を形成しているので、充電の際に充電入力端子付近を強く把持する必要がなく、把持部が変形・破損することを防止できる。
【００１４】
また、外部電源として、玩具本体とは別体の充電台を備え、当該充電台は、玩具本体が載置される載置面と、載置面内に設けられ、当該載置面に玩具本体が載置されたときに当該玩具本体の充電入力端子と当接して蓄電池を充電する充電出力端子と、を有するので、玩具本体を充電台の載置面に載置することで充電入力端子と充電出力端子とを当接させて蓄電池を充電することができ、充電入力端子付近を強く把持する必要がなく、把持部が変形・破損することを防止できる。 
【００１５】
請求項２に記載の発明によれば、充電台は、玩具本体の底面周縁と嵌合する凹部の底面に載置面を有し、充電出力端子は、玩具本体が凹部に嵌合されたときに、充電入力端子と当接するよう形成されているので、玩具本体を充電台の載置面に載置するだけで、充電入力端子と充電出力端子とを当接させて蓄電池を充電することができる。 
【００１６】
請求項４に記載の発明によれば、前記充電入力端子と前記充電出力端子とは、互いに吸引力が作用するマグネットで形成されているので、充電中に両端子が離れることなく安定した充電を行うことができるとともに、目視で確認しなくても吸引力の作用の感触によって両端子の接続を認識することができる。 
【００１７】
請求項５に記載の発明によれば、前記蓄電池は、リチウムポリマー電池又はゴールドキャパシタを用いたものであるので、玩具本体をより軽量に構成することができる。 
【００１８】
請求項６に記載の発明によれば、前記ファンはＡＢＳ樹脂で成形され、前記ベースはプラスチック材料で成形され、前記スカートはビニル樹脂で成形されているので、玩具本体をより軽量に構成することができる。
【発明を実施するための最良の形態】
【００１９】
以下、本発明の実施の形態について、図を参照して説明する。
【００２０】
本実施の形態に係るホバークラフト玩具１は、図１に示す玩具本体１０と、図２に示すリモコン２０とから構成されており、リモコン２０での遠隔操縦によって玩具本体１０を地上で自由に航行させて楽しむ玩具である。
【００２１】
まず、玩具本体１０の構成について、図１、図３、及び図４を参照して説明する。
玩具本体１０は、図１に示すように、ベース１１と、ベース１１の上部に配置された浮上及び推進用のファン１２と、ファン１２の後方（図１の右方）に設けられた操舵用ラダー１３と、ベース１１の底部側の周縁部分に取り付けられたスカート１４と、ファン１２を駆動するモータ１５と、ラダー１３及びモータ１５に給電するバッテリ１６と、リモコン２０からの無線信号を受信してラダー１３及びモータ１５の動作を制御する受信部１７とを備えている。
【００２２】
ベース１１は、上部前側に収納空間１１１、上部後側に通風空間１１２を有し、底面がほぼ平坦な略楕円状に形成され、特に限定はされないが、ＰＥＴ樹脂やスチロール樹脂等のプラスチック材料で軽量に成形されている。収納空間１１１は、その内部に受信部１７を収納し、取り外し可能なカバー１１３で上部を覆われている。通風空間１１２は、その前側（図１の左側）に外部と空間内部とを連通する空気導入口１１４を有し、この空気導入口１１４を通じて空間内部に導入された空気をスカート１４の内部へ送り込めるよう、下側が開放されている。
【００２３】
ファン１２は、モータ１５の回転軸１５１に固定されたファンブレード１２１と、モータ１５を支持するファン筐体１２２とを備えている。このファン１２は、ベース１１の収納空間１１１と通風空間１１２との間に配置され、ファンブレード１２１の回転軸１５１から下半分が、通風空間１１２の空気導入口１１４にほぼ対向するように設けられている。また、ファンブレード１２１及びファン筐体１２２は、特に限定はされないが、いずれもＡＢＳ樹脂で成形されている。
【００２４】
ラダー１３は、ファン筐体１２２の後側に固定されたラダー駆動部１３１と、このラダー駆動部１３１に左右へ揺動可能に支持されたラダー翼１３２とを備えている。このラダー１３は、ベース１１の通風空間１１２の上方に配置され、ラダー翼１３２がファンブレード１２１の回転軸１５１から上半分とほぼ同じ高さとなるように設けられる。なお、ラダー翼１３２は、特に限定はされないが、スチロール樹脂等のプラスチック材料で軽量に成形されている。
【００２５】
また、ラダー１３のラダー翼１３２は、図３に示すように、ラダー駆動部１３１に固定された回動軸１３１ａを中心に左右方向へ回動可能に支持されている。ラダー翼１３２の他端側はラダー駆動部１３１に付設されたラダー駆動用のコイル１３３に挿入されており、このコイル１３３はバッテリ１６から電流が流れるようになっている。コイル１３３に挿入されるラダー翼１３２の他端側には永久磁石１３２ａが付設されている。この場合、永久磁石１３２ａは、Ｎ極及びＳ極の一方が玩具本体１０の左右いずれか一方に、Ｎ極及びＳ極の他方が玩具本体１０の左右いずれか他方に向くように付設されている。そして、コイル１３３に電流が流れた際に、その電流の流れる方向に応じて永久磁石１３２ａに吸引力又は反発力が作用して、ラダー翼１３２が左右いずれかの方向に回動するようになっている。
なお、コイル１３３に電流が流れない状態では、特に限定はされないが、ラダー翼１３２はフリーの状態となっている。勿論、このときにラダー翼１３２が中立位置に保持されるようバネ等の付勢部材を設けてもよい。また、永久磁石１３２ａの左右にコイルをそれぞれ付設してラダー翼１３２を回動させる構造としてもよいし、コイルをラダー翼１３２側に設け、極性の異なる極がこのコイルに対向するように永久磁石をその左右にそれぞれ設けてもよい。
【００２６】
スカート１４は、図１に示すように、ベース１１の底部側の周縁部分に沿って取り付けられ、ベース１１底面の周辺を覆うと同時に、底面側の略中央に開口部１４１を有している。このスカート１４は、特に限定はされないが、膨張／収縮自在なビニル樹脂等の薄いシートで成形されている。このような構成により、スカート１４は、空気導入口１１４を通じて底面側へ送風される空気によって、ベース１１の底部側の周縁部分に沿って袋状に膨張するとともに、この空気を開口部１４１から下方へ放出することで、玩具本体１０をバランス良く浮上させられるようになっている。
【００２７】
モータ１５は、ファン１２のファン筐体１２２に設置され、その回転軸１５１にはファンブレード１２１が固定されている。このモータ１５は、バッテリ１６から給電され、受信部１７に制御されてファンブレード１２１を回転させるようになっている。
【００２８】
バッテリ１６は、ファン筐体１２２の底面とベース１１の上面との間の空間に収納され、ラダー１３のコイル１３３及びモータ１５に給電するようになっている。このバッテリ１６には、特に限定はされないが、軽量なリチウムポリマー電池又はゴールドキャパシタを用いている。
【００２９】
また、バッテリ１６は、充電する際に後述の充電出力端子２６と当接させる充電入力端子１６１を別体で有している。この充電入力端子１６１は、ベース１１底面の中央よりやや前側の位置に設けられ、バッテリ１６とは通電可能なケーブル（図示せず）を介して接続されている。また、この充電入力端子１６１は、スカート１４の開口部１４１を介して下方に露出している。このように、充電入力端子１６１が下方へ露出しているので、充電の際に充電入力端子１６１付近を強く把持する必要がなく、把持部が変形・破損することを防止できる。
【００３０】
受信部１７は、ベース１１の収納空間１１１内に収納され、図４に示すように、センサ１７１と制御部１７２とを備えている。センサ１７１は、後述するリモコン２０の送信部２０３からの制御信号を受信する。制御部１７２は、センサ１７１が受信した制御信号に含まれる制御データに基づいて、モータ１５の回転駆動及びラダー１３のコイル１３３への通電を制御する。
【００３１】
次に、リモコン２０の構成について、図２、図５、及び図６を参照して説明する。
リモコン２０は、図２（ａ）に示すように、正面視略正方形に形成され、その表面には、電源スイッチ２１、速度スイッチ２２、操舵ボタン２３、及びステータスランプ２４を備えている。このうち、電源スイッチ２１は、電源のＯＮ／ＯＦＦ、及び玩具本体１０のバッテリ１６を充電する充電モードへの移行を切り替えられるようになっている。
【００３２】
速度スイッチ２２は、玩具本体１０の推進速度を多段階に切り替えるためのもので、図２（ａ）の上方へ切り替えるほど玩具本体１０のファンブレード１２１の回転が速くなり、玩具本体１０の速度が増すようになっている。但し、この速度スイッチ２２を最低速に設定すると、玩具本体１０は僅かに浮上するだけで推進しないようになっている。更に、電源スイッチ２１をＯＦＦからＯＮにして玩具本体１０を起動する際は、一度は速度スイッチ２２を最低速に切り替えないと玩具本体１０が発進しないようになっている。これにより、スカート１４が収縮したままで玩具本体１０が発進しないようにして、スカート１４が傷むことを防止している。
【００３３】
操舵ボタン２３は、玩具本体１０の進行方向を変えるためのもので、左右の各ボタンを押す強さに応じて、ラダー１３が左右の対応する方向へ回動するようになっている。ステータスランプ２４は、特に限定はされないが、電源がＯＮのときは青色、電源がＯＦＦのときは消灯するようになっている。また、ステータスランプ２４は、充電モードのときは緑色に点灯するが、バッテリ１６の充電が完了すると点滅に変わるようになっている。
【００３４】
また、リモコン２０は、表面の上記ボタン群の下方に略半円状の開閉パネル２５を備えている。この開閉パネル２５は、リモコン２０表面の最下辺で回動可能に設けられている。開閉パネル２５を開くと、図２（ｂ）に示すように、充電出力端子２６を略中央に有する面２７が露出する。この開閉パネル２５の回動は、１８０°開いたところで規制され、このときに、開閉パネル２５の裏面と面２７とが略同一平面を形成するように構成されている。また、面２７は、リモコン２０表面に対し若干凹んでいると同時に、その平面形状が玩具本体１０の前縁部分とほぼ同一形状をなしている。このように構成される結果、玩具本体１０は、図６に示すように、その前縁部分を面２７とリモコン２０表面との縁に嵌めるようにして、開閉パネル２５の裏面と面２７とからなる平面上に載置することができる。そして、このときに充電出力端子２６が玩具本体１０の充電入力端子１６１と当接するようになっている。
【００３５】
なお、充電出力端子２６は、玩具本体１０の充電入力端子１６１とともに、互いに吸引力が作用するマグネットで形成することが好ましい。このようにすれば、充電中に両端子が離れることなく安定した充電を行うことができるとともに、目視で確認しなくても吸引力の作用の感触によって両端子の接続を認識することができる。
【００３６】
ここで、リモコン２０の回路構成について説明する。リモコン２０は、図５に示すように、入力部２００、制御部２０１、電流増幅部２０２、送信部２０３、及び充電部２０４を備えている。入力部２００には、速度スイッチ２２及び操舵ボタン２３により操作情報が入力される。この入力は、電源スイッチ２１がＯＮのときだけ可能となっている。制御部２０１は、入力部２００に入力された操作情報に基づいて制御データを生成するとともに、電流増幅部２０２を介して送信部２０３から玩具本体１０の受信部１７に向けて、この制御データを含む制御信号を発信させる。充電部２０４は、充電出力端子２６を介して玩具本体１０を充電するためのもので、リモコン２０が内蔵する電源としての電池（図示せず）から充電出力端子２６への通電を行う。但し、この通電は、電源スイッチ２１により充電モードに切り替えられたときだけ行われる。
【００３７】
続いて、ホバークラフト玩具１の動作について説明する。
【００３８】
まず、玩具本体１０を地面Ｇ上に置き、リモコン２０の速度スイッチ２２を最低速の設定に切り替えて電源スイッチ２１をＯＮにする。すると、ファンブレード１２１を最低速で回転させるための制御データが制御部２０１で生成され、この制御データを含む制御信号が送信部２０３から玩具本体１０に向けて送信される。そして、この制御信号が受信部１７のセンサ１７１で受信されると、制御部１７２はこの制御信号に含まれる制御データに基づきモータ１５を介してファンブレード１２１を回転させる。このファンブレード１２１の回転は、図７に示すように、当該ファンブレード１２１のほぼ下側半分からは浮上用として空気導入口１１４へ、同じく上側半分からは推進用としてラダー翼１３２へ、それぞれ空気を送風する。このうち浮上用の送風空気は、図７の矢印で示すように、空気導入口１１４を通じてスカート１４を膨張させるとともに、開口部１４１からスカート１４の底面を通じて外部へ抜けることで玩具本体１０を僅かに浮上させる。このとき、推進用の送風空気が玩具本体１０を発進させようとするが、浮上が完全でなく推進力も弱いので、スカート１４底面と地面Ｇとの静止摩擦により玩具本体１０は停止したままとなっている。
【００３９】
次に、玩具本体１０を推進させるときには、上記の通りに玩具本体１０を浮上させた状態で、リモコン２０の速度スイッチ２２を高速側へ切り替える。すると、この速度スイッチ２２の設定に応じた制御データを含む制御信号が、リモコン２０の送信部２０３から発信され、玩具本体１０のセンサ１７１で受信される。そして、制御部１７２が、この制御信号に含まれる制御データに基づき、モータ１５を介してファンブレード１２１を加速させる。こうして加速されたファンブレード１２１から送風される空気は、玩具本体１０を完全に浮上させるとともにラダー１３の向きに応じた方向へ推進させる。
【００４０】
次に、玩具本体１０の進行方向を変えるときには、上記の通りに玩具本体１０を浮上・推進させた状態で、リモコン２０の操舵ボタン２３を操作する。操舵ボタン２３の左右いずれかのボタンを押すと、その押した強さに応じてラダー１３を回動させるための制御データが制御部２０１で生成され、この制御データを含む制御信号が送信部２０３から玩具本体１０に向けて送信される。この制御信号が受信部１７のセンサ１７１で受信されると、制御部１７２はこの制御信号に含まれる制御データに基づきラダー１３のコイル１３３へ通電する。そして、このときの電流量と電流方向に応じてラダー翼１３２が左右の所定方向に回動する。ラダー翼１３２はファン１２からの推進用の送風空気をその回動した方向へ送るので、玩具本体１０はこの方向と反対方向への推進力を受けることになり、その進行方向を変える。
【００４１】
続いて、玩具本体１０のバッテリ１６を充電するときのホバークラフト玩具１の動作について説明する。
【００４２】
まず、リモコン２０の開閉パネル２５を開いて、電源スイッチ２１を充電モードへの移行に切り替える。この切り替えにより、リモコン２０は、充電部２０４によって内蔵する電池から充電出力端子２６へ通電可能な状態となる。この状態で、図６に示すように、玩具本体１０を、その前縁部分が面２７とリモコン２０表面との縁に嵌まるように、開閉パネル２５の裏面と面２７とからなる平面上に載置する。すると、玩具本体１０の充電入力端子１６１とリモコン２０の充電出力端子２６とが当接して、バッテリ１６の充電が行われる。なお、この充電中はリモコン２０のステータスランプ２４が緑色に点灯しているが、充電が完了すると緑色の点滅に変わる。
【００４３】
このように、玩具本体１０を、その前縁部分が面２７とリモコン２０表面との縁に嵌まるように、開閉パネル２５の裏面と面２７とからなる平面上に載置するだけで、バッテリ１６を充電することが可能となっている。また、この載置時には、ファン筐体１２２を把持して玩具本体１０を持ち上げることができる。したがって、従来のように充電入力端子付近を強く把持する必要がなく、把持部が変形・破損することを防止できる。
【００４４】
以上のように、ホバークラフト玩具１によれば、玩具本体１０を軽量に構成することができる。また、充電入力端子１６１が下方へ露出しているので、充電の際に充電入力端子付近を強く把持する必要がなく、把持部が変形・破損することを防止できる。
【００４５】
なお、本実施の形態では、リモコン２０によってバッテリ１６の充電を行っているが、リモコン２０でなく別体の充電台などとしてもよい。また、リモコン２０は、開閉パネル２５を開いたときに、玩具本体１０の前縁部分が面２７とリモコン２０表面との縁に嵌まるよう形成されてなくともよい。その他の点においても、本考案は上記の実施の形態に限定されるものではなく、適宜変更可能である。
【図面の簡単な説明】
【００４６】
【図１】本実施の形態における玩具本体の側断面図である。
【図２】（ａ）本実施の形態におけるリモコンの開閉パネルを閉じた状態の正面図であり、（ｂ）開閉パネルを開いた状態の正面図である。
【図３】図１の玩具本体におけるラダーの回動構造を示す上面視断面図である。
【図４】玩具本体の回路構成を示すブロック図である。
【図５】リモコンの回路構成を示すブロック図である。
【図６】リモコンに玩具本体が載置された状態を示す外観図である。
【図７】玩具本体の浮上状態を示す断面図である。
【符号の説明】
【００４７】
１      ホバークラフト玩具
１０    玩具本体
１１    ベース
１２    ファン
１４    スカート
１５    モータ
１６    バッテリ（蓄電池）
２０    リモコン
２６    充電出力端子
１６１  充電入力端子
【図１】
0004482040.tif 000002
【図２】
0004482040.tif 000003
【図３】
0004482040.tif 000004
【図４】
0004482040.tif 000005
【図５】
0004482040.tif 000006
【図６】
0004482040.tif 000007
【図７】
0004482040.tif 000008